(57)【要約】【課題】地域包括ケアシステム等の情報提供先の要望に応じた情報を、漏れなく電子カルテに記録することが可能なプログラム等を提供すること。【解決手段】プログラムは、患者を特定する情報を受け付け、受け付けた情報により特定される患者の属性に関連づけられた入力用テンプレートを出力し、前記入力用テンプレートへの情報の入力を受け付けた後に、前記患者に対応する電子カルテを入力可能な状態で表示する処理をコンピュータに実行させる。【選択図】図１
2018165961.tif 000002
【特許請求の範囲】
【請求項１】
患者を特定する情報を受け付け、
受け付けた前記情報により特定される前記患者の属性に関連づけられた入力用テンプレートを出力し、
前記入力用テンプレートへの情報の入力を受け付けた後に、前記患者に対応する電子カルテを入力可能な状態で表示する
処理をコンピュータに実行させるプログラム。
【請求項２】
前記表示する処理は、前記入力用テンプレートに対して入力を受け付けた情報を前記患者の電子カルテに反映させた状態で表示する
請求項１に記載のプログラム。
【請求項３】
前記入力用テンプレートは、項目名と、前記項目名に対応する入力欄とを含み、
少なくとも前記項目名と前記入力欄に入力された情報とのいずれかを前記電子カルテに反映する
請求項１または請求項２に記載のプログラム。
【請求項４】
前記属性は、前記患者の住所であり、
前記入力用テンプレートを出力する処理は、前記患者の住所に対応する地方自治体により利用される入力用テンプレートを選択して出力することを特徴とする
請求項１から請求項３のいずれか一つに記載のプログラム。
【請求項５】
患者を特定する情報を受け付け、
受け付けた前記情報により特定される前記患者の属性に関連づけられた入力用テンプレートを出力し、
前記入力用テンプレートへの情報の入力を受け付けた後に、前記患者に対応する電子カルテを入力可能な状態で表示する
処理をコンピュータに実行させる情報処理方法。
【請求項６】
患者を特定する情報を受け付ける受付部と、
前記受付部が受け付けた情報により特定される患者の属性に関連づけられた入力用テンプレートを出力する出力部と、
前記出力部が出力した前記入力用テンプレートへの情報の入力を受け付けた後に、前記患者に対応する電子カルテを入力可能な状態で表示する表示部と
を備える情報処理装置。
【発明の詳細な説明】
【技術分野】
【０００１】
本発明は、プログラム、情報処理方法および情報処理装置に関する。
【背景技術】
【０００２】
高齢者が住み慣れた地域で自分らしい暮らしを続けることができるように、医療と、介護、福祉、行政および民間事業者等とが連携して高齢者を支援する、地域包括ケアシステムの構築が厚生労働省により推進されている。
【０００３】
医療機関と介護施設との双方から患者に関する情報を参照可能な電子カルテシステムが提案されている（特許文献１）。
【先行技術文献】
【特許文献】
【０００４】
【特許文献１】特開２００４−３０２８９０号公報
【発明の概要】
【発明が解決しようとする課題】
【０００５】
地域包括ケアシステムは地方自治体がそれぞれ独自に構築するため、地域包括ケアシステムは地方自治体毎に入力項目が異なる可能性がある。一方、電子カルテシステムを採用している医療機関の医師等は患者を診察する際に電子カルテシステムに情報を入力する。医療機関と他の機関との連携を図るためには、医療機関の医師等は、電子カルテシステムに加え地域包括ケアシステムへの入力が求められることになる。
【０００６】
しかし、地域包括ケアシステムの入力項目と電子カルテシステムの入力項目とは異なる場合があり、地域包括ケアシステムへの入力漏れが発生する場合がある。
【０００７】
本発明の課題は地域包括ケアシステムへの入力漏れを防止することである。
【課題を解決するための手段】
【０００８】
プログラムは、患者を特定する情報を受け付け、受け付けた情報により特定される前記患者の属性に関連づけられた入力用テンプレートを出力し、前記入力用テンプレートへの情報の入力を受け付けた後に、前記患者に対応する電子カルテを入力可能な状態で表示する処理をコンピュータに実行させる。
【発明の効果】
【０００９】
発明の一側面によれば、地域包括ケアシステムへの入力漏れを防止することができる。
【図面の簡単な説明】
【００１０】
【図１】情報処理装置の構成を示す説明図である。
【図２】患者ＤＢのレコードレイアウトを示す説明図である。
【図３】対応付けＤＢのレコードレイアウトを示す説明図である。
【図４】テンプレートＤＢのレコードレイアウトを示す説明図である。
【図５】カルテＤＢのレコードレイアウトを示す説明図である。
【図６】情報処理装置が表示する画面を示す説明図である。
【図７】情報処理装置が表示する画面を示す説明図である。
【図８】情報処理装置が表示する画面を示す説明図である。
【図９】プログラムの処理の流れを示すフローチャートである。
【図１０】テンプレート使用のサブルーチンの処理の流れを示すフローチャートである。
【図１１】テキスト化のサブルーチンの処理の流れを示すフローチャートである。
【図１２】実施の形態２のプログラムの処理の流れを示すフローチャートである。
【図１３】実施の形態３の情報処理装置が表示する画面を示す説明図である。
【図１４】実施の形態３のプログラムの処理の流れを示すフローチャートである。
【図１５】実施の形態４の対応付けＤＢのレコードレイアウトを示す説明図である。
【図１６】実施の形態４の情報処理装置が表示する画面を示す説明図である。
【図１７】実施の形態４の情報処理装置が表示する画面を示す説明図である。
【図１８】実施の形態４のテンプレート使用のサブルーチンの処理の流れを示すフローチャートである。
【図１９】実施の形態５の対応付けＤＢのレコードレイアウトを示す説明図である。
【図２０】実施の形態５の情報処理装置が表示する画面を示す説明図である。
【図２１】実施の形態５のテンプレート使用のサブルーチンの処理の流れを示すフローチャートである。
【図２２】実施の形態６の患者ＤＢのレコードレイアウトを示す説明図である。
【図２３】実施の形態６のテンプレート使用のサブルーチンの処理の流れを示すフローチャートである。
【図２４】実施の形態７のテンプレート使用のサブルーチンの処理の流れを示すフローチャートである。
【図２５】実施の形態８の情報処理装置の機能ブロック図である。
【図２６】実施の形態９の情報処理装置の構成を示す説明図である。
【発明を実施するための形態】
【００１１】
［実施の形態１］
図１は、情報処理装置１０の構成を示す説明図である。情報処理装置１０は、ＣＰＵ（Central Processing Unit）１１、主記憶装置１２、補助記憶装置１３、表示部１４、入力部１５およびバスを備える。
【００１２】
ＣＰＵ１１は、本実施の形態に係るプログラムを実行する演算制御装置である。ＣＰＵ１１には、一または複数のＣＰＵまたはマルチコアＣＰＵ等が使用される。ＣＰＵ１１は、バスを介して情報処理装置１０を構成するハードウェア各部と接続されている。
【００１３】
主記憶装置１２は、ＳＲＡＭ（Static Random Access Memory）、ＤＲＡＭ（Dynamic Random Access Memory）、フラッシュメモリ等の記憶装置である。主記憶装置１２には、ＣＰＵ１１が行う処理の途中で必要な情報、および、ＣＰＵ１１で実行中のプログラムが一時的に保存される。
【００１４】
補助記憶装置１３は、ＳＲＡＭ、フラッシュメモリ、ハードディスクまたは磁気テープ等の記憶装置である。補助記憶装置１３には、ＣＰＵ１１に実行させるプログラム、患者ＤＢ２１、対応付けＤＢ２２、テンプレートＤＢ２３、カルテＤＢ２４およびプログラムの実行に必要な各種データが保存される。
【００１５】
患者ＤＢ２１、対応付けＤＢ２２、テンプレートＤＢ２３およびカルテＤＢ２４は、ネットワークを介して接続された他の記憶装置に記憶されていても良い。各ＤＢは、別々の記憶装置に記憶されていても良い。
【００１６】
表示部１４は、液晶表示パネルまたは有機ＥＬ（Electro Luminescence）表示パネル等である。入力部１５は、マウス、キーボード、タッチパネルまたはペンタブレット等の機器であり、ユーザによる操作をＣＰＵ１１が受け付ける際に使用する。
【００１７】
情報処理装置１０は、汎用のパーソナルコンピュータ、タブレット等である。情報処理装置１０は、医師、看護師および薬剤師等のユーザが電子カルテの記入および閲覧等を行う際に使用する装置の一例である。情報処理装置１０は、病院内情報システム（ＨＩＳ：Hospital Information System）に接続されていても良い。
【００１８】
図２は、患者ＤＢ２１のレコードレイアウトを示す説明図である。患者ＤＢ２１は、患者に固有に付与された患者ＩＤ（Identifier）と、患者の氏名、住所等の情報とを関連づけるＤＢである。患者ＤＢ２１は、患者ＩＤフィールド、氏名フィールドおよび住所フィールドを有する。
【００１９】
患者ＩＤフィールドには、患者を識別する固有の患者ＩＤが記録される。氏名フィールドには、患者の氏名が記録される。住所フィールドには、患者の住所が記録される。患者ＤＢ２１は、一人の患者について、一つのレコードを有する。
【００２０】
図３は、対応付けＤＢ２２のレコードレイアウトを示す説明図である。対応付けＤＢ２２は、地方自治体とカルテ入力用テンプレートのテンプレートＩＤとを関連づけるＤＢである。対応付けＤＢ２２は、地方自治体フィールドとテンプレートＩＤフィールドとを有する。地方自治体フィールドは、都道府県フィールドと市区町村フィールドとを有する。
【００２１】
都道府県フィールドには、都道府県名が記録される。市区町村フィールドには、市区町村名が記録される。テンプレートＩＤフィールドには、電子カルテ入力用テンプレートのテンプレートＩＤが記録される。対応付けＤＢ２２は、一つの地方自治体について、一つのレコードを有する。
【００２２】
図４は、テンプレートＤＢ２３のレコードレイアウトを示す説明図である。テンプレートＤＢ２３は、テンプレートＩＤとテンプレートとを結びつけるＤＢである。テンプレートＤＢ２３は、テンプレートＩＤフィールドと、テンプレートフィールドとを有する。
【００２３】
テンプレートＩＤフィールドには、電子カルテ入力用テンプレートのテンプレートＩＤが記録される。テンプレートフィールドには、電子カルテ入力用テンプレートが記録される。図４の下側に、テンプレートフィールドに記録されている電子カルテ入力用テンプレートを拡大して示す。
【００２４】
電子カルテ入力用テンプレートは、表題欄４１５、項目欄４１３、入力欄４１４、ＯＫボタン４１１およびキャンセルボタン４１２を含む。項目欄４１３は、チェックボタンと項目名とを含む。それぞれの項目欄４１３に対応して設けられた入力欄４１４は、所定の選択肢からの選択、日付等の入力、キーボード等による自由記入等を受け付ける。テンプレートＤＢ２３は、一つのテンプレートＩＤについて一つのレコードを有する。
【００２５】
図４に示す電子カルテ入力用テンプレートは一例である。電子カルテ入力用テンプレートは、それぞれの地方自治体等が医療機関に対して要求する情報に応じて、適宜作成され、テンプレートＤＢ２３に記録される。
【００２６】
図５は、カルテＤＢ２４のレコードレイアウトを示す説明図である。カルテＤＢ２４は、患者ＩＤと、診療等を行った日時、担当および診療の内容を関連づけるＤＢである。カルテＤＢ２４は、患者ＩＤフィールド、日時フィールド、担当フィールドおよび内容フィールドを有する。
【００２７】
患者ＩＤフィールドには、患者を識別する固有の患者ＩＤが記録される。日時フィールドには、診療等を行った日時が記録される。担当フィールドには、医師等、カルテＤＢ２４への記録を行った担当者の名前が記録される。内容フィールドには、担当者が入力した内容が記録される。カルテＤＢ２４は、一回の診療等について、一つのレコードを有する。
【００２８】
なお、カルテＤＢ２４またはその他のＤＢに、患者の年齢、血液型、身長、体重、Ｘ線等の検査画像、血液検査等の検査データ等も記録されるが、従来から使用されている電子カルテシステムと同様であるので説明を省略する。以下の説明では、カルテＤＢ２４等に記録された各患者の医療情報をカルテと記載する。
【００２９】
図６は、情報処理装置１０が表示する画面を示す説明図である。図６は、電子カルテ入力用テンプレートを表示するテンプレート窓４１を示す。図６は、「小児期疾患」および「予防接種」の項目において、それぞれ複数の選択肢がマウスによるクリック操作等により選択され、「成人期疾患」の項目に日付、疾患名および医療機関名がキーボード等により入力された状態を示す。
【００３０】
図７および図８は、情報処理装置１０が表示する画面を示す説明図である。図７および図８に示す画面は、患者情報欄４４、履歴欄４２および診療記録欄４３を含む。診療記録欄４３は、自由欄４３１、主訴欄４３２、Ｓ欄４３３、Ｏ欄４３４、Ａ欄４３５およびＰ欄４３６を含む。
【００３１】
患者情報欄４４には、患者ＩＤ、患者の性別、氏名、年齢、身長、体重、保険の種類等が表示される。履歴欄４２には、カルテＤＢ２４に記録された過去の診療の日時、担当および診療記録の内容が表示される。診療記録欄４３は、キーボード等の入力部１５を介して、ユーザによる診療記録の入力を受け付ける。本実施の形態においては、診療記録欄４３は、主観的情報、客観的状況、評価および計画に分ける、いわゆるＳＯＡＰ（Subject, Object, Assessment, Plan）形式による入力を受け付ける。診療記録欄４３に表示する事柄については後述する。
【００３２】
図１から図９を使用して、本実施の形態の情報処理装置１０の動作の概要を説明する。患者の診療を行う際に、医師等のユーザは入力部１５を介して患者ＩＤを入力する。ＣＰＵ１１は、患者ＩＤをキーとしてカルテＤＢ２４等を検索し、患者のカルテを抽出する。
【００３３】
ＣＰＵ１１は、患者ＩＤをキーとして患者ＤＢ２１からレコードを抽出し、住所フィールドに記録された住所を取得する。ＣＰＵ１１は、住所の冒頭部分をキーとして対応付けＤＢ２２を検索し、テンプレートＩＤを取得する。ＣＰＵ１１は、テンプレートＩＤをキーとしてテンプレートＤＢ２３を検索し、テンプレートを抽出する。
【００３４】
ＣＰＵ１１は、表示部１４にテンプレートを表示する。ＣＰＵ１１は、図６を使用して説明したように、入力部１５を介してユーザによる入力を受け付ける。ＯＫボタン４１１の選択を受け付けた場合、ＣＰＵ１１は図７に示す画面を表示部１４に表示する。図７に示す画面においては、図６で入力された項目の項目名および入力された内容が、Ｓ欄４３３に入力される。さらにＣＰＵ１１は、診療記録欄４３の上部に、日時および情報処理装置１０を使用中のユーザの肩書きと名前とを表示する。ＣＰＵ１１は、入力部１５を介してユーザによる診療記録欄４３の編集を受け付ける。
【００３５】
なお、図６を使用して説明した画面で、キャンセルボタン４１２の選択を受け付けた場合、ＣＰＵ１１は図８に示すように診療記録欄４３が空欄の画面を表示する。ＣＰＵ１１は、ＣＰＵ１１は、入力部１５を介してユーザによる診療記録欄４３の編集を受け付ける。
【００３６】
たとえば、右クリック等によりユーザによる入力終了の指示を受け付けた場合、ＣＰＵ１１は、カルテＤＢ２４に新規レコードを作成する。ＣＰＵ１１は、日時フィールドおよび担当フィールドに、診療記録欄４３の上部に表示したものと同一の日時および担当を記録する。ＣＰＵ１１は、自由欄４３１、主訴欄４３２、Ｓ欄４３３、Ｏ欄４３４、Ａ欄４３５およびＰ欄４３６のうち、入力を受け付けた欄のタイトルと入力内容とを抽出して、内容フィールドに記録する。
【００３７】
以上により、ユーザは、患者の住む地方自治体の地域包括ケアシステムが医療機関に対して要求する情報を漏れなくカルテに記載することができる。カルテの入力を開始する前にテンプレートを表示するので、ユーザがテンプレートの存在自体を忘却したままカルテを入力してしまうことを防止できる。
【００３８】
テンプレートに沿った入力は不要であると判断した場合には、ユーザは、キャンセルボタン４１２を選択することによりテンプレートを使用せずに、診療記録を入力できる。
【００３９】
図９は、プログラムの処理の流れを示すフローチャートである。ＣＰＵ１１は、入力部１５を介して患者ＩＤを受け付ける（ステップＳ５０１）。ＣＰＵ１１は、患者ＩＤをキーとしてカルテＤＢ２４を検索して、患者のカルテを抽出する（ステップＳ５０２）。
【００４０】
ＣＰＵ１１は、テンプレート使用のサブルーチンを起動する（ステップＳ５０３）。テンプレート使用のサブルーチンは、患者の住所に応じたテンプレートを表示部１４に表示し、ユーザによる入力を受け付けてカルテの診療記録欄４３に記録するサブルーチンである。テンプレート使用のサブルーチンの処理の流れは後述する。
【００４１】
ＣＰＵ１１は、図７または図８を使用して説明した画面により、カルテを表示する（ステップＳ５０４）。ＣＰＵ１１は、入力部１５を介して診療記録欄４３の編集を受け付ける（ステップＳ５０５）。
【００４２】
たとえば、右クリック等によりユーザによる入力終了の指示を受け付けた後に、ＣＰＵ１１は、カルテＤＢ２４に診療履歴を記録する（ステップＳ５０６）。さらに具体的には、ＣＰＵ１１は、カルテＤＢ２４に新規レコードを作成する。ＣＰＵ１１は、日時フィールドおよび担当フィールドに、診療記録欄４３の上部に表示したものと同一の日時および担当を記録する。ＣＰＵ１１は、自由欄４３１、主訴欄４３２、Ｓ欄４３３、Ｏ欄４３４、Ａ欄４３５およびＰ欄４３６のうち、入力を受け付けた欄のタイトルと入力内容とを抽出して、内容フィールドに記録する。その後、ＣＰＵ１１は処理を終了する。
【００４３】
図１０は、テンプレート使用のサブルーチンの処理の流れを示すフローチャートである。テンプレート使用のサブルーチンは、患者の住所に応じたテンプレートを表示部１４に表示し、ユーザによる入力を受け付けてカルテの診療記録欄４３に記録するサブルーチンである。
【００４４】
ＣＰＵ１１は、患者ＩＤをキーとして患者ＤＢ２１を検索してレコードを抽出する。ＣＰＵ１１は住所フィールドに記録された患者の住所を抽出する（ステップＳ５２１）。ＣＰＵ１１は、住所から都道府県名を抽出する（ステップＳ５２２）。ＣＰＵ１１は、住所から市区町村名を抽出する（ステップＳ５２３）。
【００４５】
ＣＰＵ１１は、ステップＳ５２２で抽出した都道府県名を第１キーに、ステップＳ５２３で抽出した市区町村名を第２キーにして、対応付けＤＢ２２を検索し、テンプレートＩＤを抽出する（ステップＳ５２４）。
【００４６】
ＣＰＵ１１は、テンプレートＩＤの抽出に成功したか否かを判定する（ステップＳ５２５）。成功したと判定した場合（ステップＳ５２５でＹＥＳ）、ＣＰＵ１１はテンプレートＩＤをキーとしてテンプレートＤＢ２３を検索し、テンプレートを取得する（ステップＳ５２６）。
【００４７】
成功していないと判定した場合（ステップＳ５２５でＮＯ）、ＣＰＵ１１は補助記憶装置１３に記憶された所定の標準テンプレートを取得する（ステップＳ５２７）。ＣＰＵ１１は、表示部１４にテンプレートを表示する（ステップＳ５２８）。ＣＰＵ１１は、入力部１５を介してテンプレートへの入力を受け付ける（ステップＳ５２９）。
【００４８】
ＣＰＵ１１は、ＯＫボタン４１１またはキャンセルボタン４１２の選択を受け付ける（ステップＳ５３０）。ＯＫボタン４１１の選択を受け付けた場合（ステップＳ５３０でＯＫ）、ＣＰＵ１１はテキスト化のサブルーチンを起動する（ステップＳ５３１）。テキスト化のサブルーチンは、テンプレートの入力事項をテキストデータ化するサブルーチンである。テキスト化のサブルーチンの処理の流れは後述する。
【００４９】
ＣＰＵ１１は、テキストデータをカルテの所定の欄にコピーする（ステップＳ５３２）。なお、本実施の形態においては、図７に示すようにＣＰＵ１１はテキストデータをＳ欄４３３にコピーする。
【００５０】
ステップＳ５３２の終了後、または、キャンセルボタン４１２の選択を受け付けた場合（ステップＳ５３０でキャンセル）、ＣＰＵ１１は処理を終了する。
【００５１】
なお、標準テンプレートを使用する代わりに、テンプレートＩＤの抽出に成功していないと判定した場合（ステップＳ５２５でＮＯ）、ＣＰＵ１１は処理を終了しても良い。
【００５２】
図１１は、テキスト化のサブルーチンの処理の流れを示すフローチャートである。テキスト化のサブルーチンは、テンプレートの入力事項をテキストデータ化するサブルーチンである。
【００５３】
ＣＰＵ１１は、文字列変数「テキスト」を空文字列に初期化する（ステップＳ５５１）。ＣＰＵ１１は、カウンタＩを１に初期化する（ステップＳ５５２）。ＣＰＵ１１は、テンプレートのＩ番目の項目にユーザによる記入が行われたか否かを判定する（ステップＳ５５３）。行われたと判定した場合（ステップＳ５５３でＹＥＳ）、ＣＰＵ１１は文字列変数「テキスト」の末尾にＩ番目の項目の項目名を追加する（ステップＳ５５４）。ここで追加する項目名は、たとえば項目欄４１３に表示された名称を使用する。
【００５４】
ＣＰＵ１１は、Ｉ番目の項目内の入力欄４１４が、ユーザが選択肢を選ぶ形式であるか否かを判定する（ステップＳ５５５）。たとえば、図６において「小児期疾患」および「予防接種」の入力欄４１４は、選択肢を選ぶ形式である。
【００５５】
選択肢を選ぶ形式であると判定した場合（ステップＳ５５５でＹＥＳ）、ＣＰＵ１１は、文字列変数「テキスト」の末尾にユーザにより選択された選択肢を示す文字を追加する（ステップＳ５５６）。
【００５６】
選択肢を選ぶ形式でないと判定した場合（ステップＳ５５５でＮＯ）、ＣＰＵ１１は、文字列変数「テキスト」に、ユーザにより記入された事項をテンプレート中の文字と組み合わせて追加する（ステップＳ５５７）。
【００５７】
Ｉ番目の文字列に記入が無いと判定した場合（ステップＳ５５３でＮＯ）、ステップＳ５５６の終了後、またはステップＳ５５７の終了後、ＣＰＵ１１はテンプレート中のすべての項目の処理が終了したか否かを判定する（ステップＳ５５８）。終了していないと判定した場合（ステップＳ５５８でＮＯ）、ＣＰＵ１１はカウンタＩに１を加算する（ステップＳ５５９）。ＣＰＵ１１はステップＳ５５３に戻る。終了したと判定した場合（ステップＳ５５８でＹＥＳ）、ＣＰＵ１１は処理を終了する。
【００５８】
本実施の形態によると、情報提供先の要望に応じた情報を、漏れなく電子カルテに記録できる情報処理装置１０を提供することができる。
【００５９】
カルテの入力を開始する前にテンプレートを表示するので、ユーザがテンプレートの存在自体を忘却したままカルテを入力してしまうことを防止できる。また、ユーザがテンプレートを起動する手間を省くことができる。
【００６０】
テンプレートに沿った入力は不要であると判断した場合には、ユーザは、キャンセルボタン４１２を選択することによりテンプレートを使用せずに、診療記録を入力できる。
【００６１】
各地域包括ケアシステムに共通する事項を網羅した標準テンプレートを使用することにより、要求事項の確認ができていない地域包括ケアシステム向けの情報を漏れなくカルテに記載することができる。
【００６２】
なお、テンプレートは地域包括ケアシステム向けに限定しない。たとえば学校、スポーツ施設、福祉施設等、青少年および勤労年齢の住民を対象者に含むサービスの充実に必要な医療情報提供用の項目を盛り込んだテンプレートを使用することができる。
【００６３】
住所の代わりに、または、住所に加えて、たとえば患者の住所に対応する地方自治体、保険の種類、年齢、性別、職業、初診であるか再診であるか等、患者の様々な属性に基づいて、使用するテンプレートを定めても良い。
【００６４】
［実施の形態２］
本実施の形態は、前回の診療からの期間が長い高齢者等、地域包括ケアシステム向けの情報を更新する必要性が高い患者の診察を行う場合にテンプレートを表示する情報処理装置１０に関する。実施の形態１と共通する部分については、説明を省略する。
【００６５】
図１２は、実施の形態２のプログラムの処理の流れを示すフローチャートである。ＣＰＵ１１は、入力部１５を介して患者ＩＤを受け付ける（ステップＳ５０１）。ＣＰＵ１１は、患者ＩＤをキーとしてカルテＤＢ２４を検索して、患者のカルテを抽出する（ステップＳ５０２）。ＣＰＵ１１は、抽出したカルテに基づいて、患者が高齢者であるか否かを判定する（ステップＳ５６１）。
【００６６】
高齢者であると判定した場合（ステップＳ５６１でＹＥＳ）、ＣＰＵ１１はカルテに基づいて所定期間内、たとえば直近の一年以内に受診した患者であるか否かを判定する（ステップＳ５６２）。
【００６７】
所定期間内に受診した患者でないと判定した場合（ステップＳ５６２でＮＯ）、ＣＰＵ１１はテンプレート使用のサブルーチンを起動する（ステップＳ５６３）。テンプレート使用のサブルーチンは、図１０を使用して説明したサブルーチンと同一のサブルーチンである。
【００６８】
ステップＳ５６３の終了後、所定期間内に受診した患者であると判定した場合（ステップＳ５６２でＹＥＳ）、または、高齢者でないと判定した場合（ステップＳ５６１でＮＯ）、ＣＰＵ１１はカルテを表示する（ステップＳ５０４）。ＣＰＵ１１は、入力部１５を介して診療記録欄４３の編集を受け付ける（ステップＳ５０５）。
【００６９】
たとえば、右クリック等によりユーザによる入力終了の指示を受け付けた後に、ＣＰＵ１１は、カルテＤＢ２４に診療履歴を記録する（ステップＳ５０６）。その後、ＣＰＵ１１は処理を終了する。
【００７０】
本実施の形態によると、地域包括ケアシステムの対象外の年齢の患者、および、前回の受診からあまり期間の経過していない患者の診療時には、地域包括ケアシステム用のテンプレートを表示しない情報処理装置１０を提供することが可能である。
【００７１】
ＣＰＵ１１は、たとえば前記高齢者と後期高齢者等、患者の年齢によってステップＳ５６２の所定期間を異ならせても良い。ＣＰＵ１１は、高齢者では無いと判定した場合（ステップＳ５６１でＮＯ）に、高齢者向けとは異なるテンプレートを使用しても良い。同様にＣＰＵ１１は、所定期間内に受診した患者であると判定した場合（ステップＳ５６２でＹＥＳ）に、通院頻度が高い患者向けのテンプレートを使用しても良い。
【００７２】
［実施の形態３］
本実施の形態は、表示部１４にカルテを表示した後に、テンプレートを重畳して表示する情報処理装置１０に関する。実施の形態１と共通する部分については、説明を省略する。
【００７３】
図１３は、実施の形態３の情報処理装置１０が表示する画面を示す説明図である。ＣＰＵ１１は、図８を使用して説明した画面の診療記録欄４３に重畳して、図６を使用して説明したテンプレート窓４１を表示する。
【００７４】
図１４は、実施の形態３のプログラムの処理の流れを示すフローチャートである。ＣＰＵ１１は、入力部１５を介して患者ＩＤを受け付ける（ステップＳ５０１）。ＣＰＵ１１は、患者ＩＤをキーとしてカルテＤＢ２４を検索して、患者のカルテを抽出する（ステップＳ５０２）。
【００７５】
ＣＰＵ１１は、図８を使用して説明した画面により、カルテを表示する（ステップＳ５０４）。ＣＰＵ１１は、テンプレート使用のサブルーチンを起動する（ステップＳ５０３）。テンプレート使用のサブルーチンは、図１０を使用して説明したサブルーチンと同一のサブルーチンである。
【００７６】
ＣＰＵ１１は、入力部１５を介して診療記録欄４３の編集を受け付ける（ステップＳ５０５）。たとえば、右クリック等によりユーザによる入力終了の指示を受け付けた後に、ＣＰＵ１１は、カルテＤＢ２４に診療履歴を記録する（ステップＳ５０６）。その後、ＣＰＵ１１は処理を終了する。
【００７７】
本実施の形態によると、ユーザは履歴欄４２に表示された過去の診療記録を参照しながら、患者の問診、診察等を行い、テンプレートに入力することができる。診療記録欄４３に重畳してテンプレート窓４１を表示することにより、テンプレートへの記入忘れを防止することができる。
【００７８】
なお、情報処理装置１０が２個の表示部１４を備える場合には、ＣＰＵ１１は、第１の表示部１４にカルテを表示し、第２の表示部１４にテンプレートを表示しても良い。
【００７９】
［実施の形態４］
本実施の形態は、外来患者と入院患者とで異なるテンプレートを使用可能な情報処理装置１０に関する。実施の形態１と共通する部分については説明を省略する。
【００８０】
図１５は、実施の形態４の対応付けＤＢ２２のレコードレイアウトを示す説明図である。対応付けＤＢ２２は、地方自治体とカルテ入力用テンプレートのテンプレートＩＤとを関連づけるＤＢである。本実施の形態の対応付けＤＢ２２は、地方自治体フィールドとテンプレートフィールドとを有する。地方自治体フィールドは、都道府県フィールドと市区町村フィールドとを有する。
【００８１】
テンプレートフィールドは、外来フィールドと入院フィールドとを有する。外来フィールドおよび入院フィールドは、それぞれテンプレートＩＤフィールドと欄フィールドとを有する。
【００８２】
都道府県フィールドには、都道府県名が記録される。市区町村フィールドには、市区町村名が記録される。テンプレートＩＤフィールドには、電子カルテ入力用テンプレートのテンプレートＩＤが記録される。
【００８３】
欄フィールドには、テンプレートを用いて入力された情報を、診療記録欄４３中のどの部分に記載するかが記録される。たとえば、「川崎市中原区」の外来患者の診療を行う場合、「Ｔ１００」のテンプレートを使用してユーザが入力した情報がＳ欄４３３に記入される。同様に、「川崎市中原区」の入院患者の診療を行う場合、「Ａ１１１」のテンプレートを使用してユーザが入力した情報が自由欄４３１に記入される。以後の説明では、「川崎市中原区」の入院患者の診療を例にして説明を行なう。
【００８４】
図１６は、実施の形態４の情報処理装置１０が表示する画面を示す説明図である。図１６は、テンプレートＩＤが「Ａ１１１」である電子カルテ入力用テンプレートを表示するテンプレート窓４１の一例を示す。
【００８５】
図１６においては、一番上に日付欄、上から２番目に「本人確認欄」、上から３番目に「家族欄」、最下部にＯＫボタン４１１とキャンセルボタン４１２がそれぞれ配置されている。日付欄、本人確認欄および家族欄は、それぞれユーザによる選択肢のチェックおよび文字の入力が行われた状態を示す。
【００８６】
図１６は入院中の患者の在宅治療への移行に関する情報を入力するテンプレートの一例である。入院から在宅治療に移行する場合には、地域の介護事業所、ボランティア等によるサポートが必要になるため、医療機関から地域包括ケアシステムに対して的確な情報伝達を行うことが重要である。
【００８７】
図１７は、実施の形態４の情報処理装置１０が表示する画面を示す説明図である。図１６に示す画面においてＯＫボタン４１１の選択を受け付けた後に、ＣＰＵ１１はテンプレートに入力された情報をテキストデータに変換して、自由欄４３１に表示する。
【００８８】
図１８は、実施の形態４のテンプレート使用のサブルーチンの処理の流れを示すフローチャートである。図１８に示すサブルーチンは、図１０を使用して説明したサブルーチンの代わりに使用するサブルーチンである。
【００８９】
ＣＰＵ１１は、患者ＩＤをキーとして患者ＤＢ２１を検索してレコードを抽出する。ＣＰＵ１１は住所フィールドに記録された患者の住所を抽出する（ステップＳ５２１）。ＣＰＵ１１は、住所から都道府県名を抽出する（ステップＳ５２２）。ＣＰＵ１１は、住所から市区町村名を抽出する（ステップＳ５２３）。
【００９０】
ＣＰＵ１１は、外来患者であるか、入院患者であるかを判定する（ステップＳ５７１）。外来患者であるか、入院患者であるかは、たとえばユーザである医師等の所属部門、または情報処理装置１０の設置場所のＩＰ（Internet Protocol）アドレス等により判定することが可能である。
【００９１】
ＣＰＵ１１は、ステップＳ５２２で抽出した都道府県名を第１キーに、ステップＳ５２３で抽出した市区町村名を第２キーにして、対応付けＤＢ２２を検索してレコードを抽出する。外来患者であると判定した場合（ステップＳ５７１で外来）、ＣＰＵ１１は抽出したレコードの外来フィールドから外来のテンプレートＩＤおよび記入する欄を抽出する（ステップＳ５７２）。入院患者であると判定した場合（ステップＳ５７１で入院）、ＣＰＵ１１は抽出したレコードの入院フィールドから入院のテンプレートＩＤおよび記入する欄を抽出する（ステップＳ５７３）。
【００９２】
ステップＳ５７２またはステップＳ５７３の終了後、ＣＰＵ１１は、テンプレートＩＤの抽出に成功したか否かを判定する（ステップＳ５２５）。成功したと判定した場合（ステップＳ５２５でＹＥＳ）、ＣＰＵ１１はテンプレートＩＤをキーとしてテンプレートＤＢ２３を検索し、テンプレートを取得する（ステップＳ５２６）。
【００９３】
成功していないと判定した場合（ステップＳ５２５でＮＯ）、ＣＰＵ１１は補助記憶装置１３に記憶された所定の標準テンプレートを取得する（ステップＳ５２７）。ステップＳ５２６またはステップＳ５２７の終了後、ＣＰＵ１１は、表示部１４にテンプレートを表示する（ステップＳ５２８）。ＣＰＵ１１は、入力部１５を介してテンプレートへの入力を受け付ける（ステップＳ５２９）。
【００９４】
ＣＰＵ１１は、ＯＫボタン４１１またはキャンセルボタン４１２の選択を受け付ける（ステップＳ５３０）。ＯＫボタン４１１の選択を受け付けた場合（ステップＳ５３０でＯＫ）、ＣＰＵ１１はテキスト化のサブルーチンを起動する（ステップＳ５３１）。テキスト化のサブルーチンは、図１１を使用して説明したサブルーチンと同一のサブルーチンである。
【００９５】
ＣＰＵ１１は、テキストデータをステップＳ５７２またはステップＳ５７３で抽出した欄にコピーする（ステップＳ５７４）。
【００９６】
ステップＳ５７４の終了後、または、キャンセルボタン４１２の選択を受け付けたと判定した場合（ステップＳ５３０でキャンセル）、ＣＰＵ１１は処理を終了する。
【００９７】
本実施の形態によると、情報提供先の要望に応じた情報を、患者の状況に応じたテンプレートを使用して、無駄なく電子カルテに記録できる情報処理装置１０を提供することができる。
【００９８】
［実施の形態５］
本実施の形態は、一つの住所に対して複数の地域包括ケアシステムが存在する場合に対応可能な情報処理装置１０に関する。実施の形態１と共通する部分については説明を省略する。
【００９９】
図１９は、実施の形態５の対応付けＤＢ２２のレコードレイアウトを示す説明図である。対応付けＤＢ２２は、地域包括ケアシステム名と、地方自治体と、カルテ入力用テンプレートのテンプレートＩＤとを関連づけるＤＢである。本実施の形態の対応付けＤＢ２２は、システム名フィールド、地方自治体フィールドおよびテンプレートＩＤフィールドを有する。地方自治体フィールドは、都道府県フィールドと市区町村フィールドとを有する。
【０１００】
システム名フィールドには、地域包括ケアシステムの名前が記録される。都道府県フィールドには、都道府県名が記録される。市区町村フィールドには、市区町村名が記録される。テンプレートＩＤフィールドには、電子カルテ入力用テンプレートのテンプレートＩＤが記録される。対応付けＤＢ２２は、一つの地域包括ケアシステムについて、一つのレコードを有する。
【０１０１】
本実施の形態においては、図１９に示すように「川崎市中原区」は「第１包括ケアシステム」と「川崎広域ケアシステム」の二つの地域包括ケアシステムに関連づけられている。本実施の形態の情報処理装置１０は、たとえば外出の可否、特別なケアの要否等により対象者を分けて、一つの地域に複数の地域包括ケアシステムが並存する場合に対応可能である。
【０１０２】
図２０は、実施の形態５の情報処理装置１０が表示する画面を示す説明図である。図２０に示す場面は、患者の住所のある地方自治体が「第１包括ケアシステム」と「川崎広域ケアシステム」の二つの地域包括ケアシステムに関連づけられていると判定した場合に、ＣＰＵ１１が表示部１４に表示する選択画面の一例である。
【０１０３】
図２０に示す画面は、地域包括ケアシステムの名称等、ユーザ向けの説明を表示する説明欄３１と、選択ボタン３２とを含む。選択ボタン３２の選択を受け付けた場合、ＣＰＵ１１は選択ボタン３２に対応するテンプレートを表示部１４に表示して、ユーザによる入力を受け付ける。なお、患者の住所が複数の地域包括ケアシステムに関連づけられている場合であっても、それらの地域包括ケアシステムが同一のテンプレートに関連づけられている場合には、ＣＰＵ１１は図３２を使用して説明した画面を表示しない。
【０１０４】
図２１は、実施の形態５のテンプレート使用のサブルーチンの処理の流れを示すフローチャートである。図２１に示すサブルーチンは、図１０を使用して説明したサブルーチンの代わりに使用するサブルーチンである。
【０１０５】
ＣＰＵ１１は、患者ＩＤをキーとして患者ＤＢ２１を検索してレコードを抽出する。ＣＰＵ１１は住所フィールドに記録された患者の住所を抽出する（ステップＳ５２１）。ＣＰＵ１１は、住所から都道府県名を抽出する（ステップＳ５２２）。ＣＰＵ１１は、住所から市区町村名を抽出する（ステップＳ５２３）。
【０１０６】
ＣＰＵ１１は、ステップＳ５２２で抽出した都道府県名を第１キーに、ステップＳ５２３で抽出した市区町村名を第２キーにして、対応付けＤＢ２２を検索し、テンプレートＩＤを抽出する（ステップＳ５２４）。
【０１０７】
ＣＰＵ１１は、何個のテンプレートＩＤを抽出したかを判定する（ステップＳ５８１）。複数のテンプレートＩＤを抽出したと判定した場合（ステップＳ５８１で複数）、ＣＰＵ１１は図２０を使用して説明した選択画面を表示部１４に表示する（ステップＳ５８２）。ＣＰＵ１１は、選択ボタン３２を介してユーザの選択を受け付ける（ステップＳ５８３）。ＣＰＵ１１は、ユーザが選択した選択ボタン３２に対応するテンプレートＩＤを抽出する。
【０１０８】
ステップＳ５８３の終了後、または、１個のテンプレートＩＤを抽出したと判定した場合（ステップＳ５８１で１個）、ＣＰＵ１１は抽出したテンプレートＩＤをキーとしてテンプレートＤＢ２３を検索し、テンプレートを取得する（ステップＳ５８４）。テンプレートＩＤを抽出していないと判定した場合（ステップＳ５８１で０個）、ＣＰＵ１１は補助記憶装置１３に記憶された所定の標準テンプレートを取得する（ステップＳ５２７）。
【０１０９】
ステップＳ５８４またはステップＳ５２７の終了後、ＣＰＵ１１は、表示部１４にテンプレートを表示する（ステップＳ５２８）。ＣＰＵ１１は、入力部１５を介してテンプレートへの入力を受け付ける（ステップＳ５２９）。以後の処理は、図１０を使用して説明した実施の形態１のテンプレート使用のサブルーチンと同一であるので、説明を省略する。
【０１１０】
本実施の形態によると、一つの住所に対して複数の地域包括ケアシステムが存在する場合に対応可能な情報処理装置１０を提供することができる。したがって、複数の地方自治体等が連携して、一つの住所に対して複数の地域包括ケアシステムが対応する地域包括ケアシステムが構築された場合等に対応可能な情報処理装置１０を提供することができる。
【０１１１】
患者の住所に対して、複数の地域包括ケアシステムが対応する場合であっても、同一のテンプレートを使用する場合には図２０を使用して説明した画面を表示しないので、ユーザの手を不要に煩わせない情報処理装置１０を提供することができる。
【０１１２】
［実施の形態６］
本実施の形態は、患者が複数の住所を有する場合に対応可能な情報処理装置１０に関する。実施の形態１と共通する部分については説明を省略する。
【０１１３】
図２２は、実施の形態６の患者ＤＢ２１のレコードレイアウトを示す説明図である。患者ＤＢ２１は、患者に固有に付与された患者ＩＤ（Identifier）と、患者の氏名、住所等の情報とを関連づけるＤＢである。患者ＤＢ２１は、患者ＩＤフィールド、氏名フィールドおよび住所フィールドを有する。
【０１１４】
住所フィールドは、第１住所フィールド、第２住所フィールドおよび第３住所フィールドを有する。なお、住所フィールドは第４住所フィールド以降のフィールドを有しても良い。
【０１１５】
患者ＩＤフィールドには、患者を識別する固有の患者ＩＤが記録される。氏名フィールドには、患者の氏名が記録される。第１住所フィールドには、患者の住所が記録される。第２住所フィールド以降の住所フィールドには、たとえば患者が日常的に利用している介護施設、かかりつけ医、介護を担っている親族等、患者の生活に関連する場所の住所が記録される。患者ＤＢ２１は、一人の患者について、一つのレコードを有する。
【０１１６】
図２３は、実施の形態６のテンプレート使用のサブルーチンの処理の流れを示すフローチャートである。図２３に示すサブルーチンは、図１０を使用して説明したサブルーチンの代わりに使用するサブルーチンである。
【０１１７】
ＣＰＵ１１は、カウンタＩを初期値１に設定する（ステップＳ５９１）。ＣＰＵ１１は、患者ＩＤをキーとして患者ＤＢ２１を検索してレコードを抽出する。ＣＰＵ１１はＩ番目の住所フィールドに記録された患者の住所を抽出する（ステップＳ５９２）。ＣＰＵ１１は、住所から都道府県名を抽出する（ステップＳ５９３）。ＣＰＵ１１は、住所から市区町村名を抽出する（ステップＳ５９４）。
【０１１８】
ＣＰＵ１１は、ステップＳ５９３で抽出した都道府県名を第１キーに、ステップＳ５９４で抽出した市区町村名を第２キーにして、対応付けＤＢ２２を検索し、テンプレートＩＤを抽出する（ステップＳ５９５）。
【０１１９】
ＣＰＵ１１は、住所フィールドのすべてのサブフィールドに記録された住所の処理を終了したか否かを判定する（ステップＳ５９６）。終了していないと判定した場合（ステップＳ５９６でＮＯ）、ＣＰＵ１１はカウンタＩに１を加算する（ステップＳ５９７）。ＣＰＵ１１は、ステップＳ５９２に戻る。
【０１２０】
終了したと判定した場合（ステップＳ５９６でＹＥＳ）、ＣＰＵ１１は、何個のテンプレートＩＤを抽出したかを判定する（ステップＳ５８１）。以後の処理は、図２１を使用して説明したテンプレート使用のサブルーチンの処理と同一であるので、説明を省略する。
【０１２１】
本実施の形態によると、患者の生活実態等に応じた地域包括ケアシステム用のテンプレートを使用して電子カルテの入力を行える情報処理装置１０を提供することができる。
【０１２２】
［実施の形態７］
本実施の形態は、電子カルテに記録されている患者のデータに基づいてテンプレートを選択して表示する情報処理装置１０に関する。実施の形態１と共通する部分については、説明を省略する。
【０１２３】
図２４は、実施の形態７のテンプレート使用のサブルーチンの処理の流れを示すフローチャートである。図２４に示すサブルーチンは、図１０を使用して説明したサブルーチンの代わりに使用するサブルーチンである。
【０１２４】
ＣＰＵ１１は、所定の期間内、たとえば過去半年以内に行われた患者の各種検査データが電子カルテに記録されているか否かを判定する（ステップＳ６０１）。検査データが記録されていないと判定した場合（ステップＳ６０１でＮＯ）、ＣＰＵ１１は処理を終了する。
【０１２５】
検査データが記録されていると判定した場合（ステップＳ６０１でＹＥＳ）、ＣＰＵ１１は患者が高血圧であるか否かを判定する（ステップＳ６０２）。なお、高血圧であるか否かは、たとえば日本高血圧学会のガイドラインに沿って、収縮期血圧と、拡張期血圧と、年齢との関係に基づいて判定することができる。
【０１２６】
高血圧でないと判定した場合（ステップＳ６０２でＮＯ）、ＣＰＵ１１は処理を終了する。高血圧であると判定した場合（ステップＳ６０２でＹＥＳ）、ＣＰＵ１１は高血圧患者用のテンプレートを取得する（ステップＳ６０３）。ＣＰＵ１１は、表示部１４にテンプレートを表示する（ステップＳ５２８）。ＣＰＵ１１は、入力部１５を介してテンプレートへの入力を受け付ける（ステップＳ５２９）。
【０１２７】
ＣＰＵ１１は、ＯＫボタン４１１またはキャンセルボタン４１２の選択を受け付ける（ステップＳ５３０）。ＯＫボタン４１１の選択を受け付けた場合（ステップＳ５３０でＯＫ）、ＣＰＵ１１はテキスト化のサブルーチンを起動する（ステップＳ５３１）。テキスト化のサブルーチンは、図１１を使用して説明したサブルーチンと同一のサブルーチンである。
【０１２８】
ＣＰＵ１１は、テキストデータをカルテの所定の欄にコピーする（ステップＳ５３２）。なお、本実施の形態においては、図７に示すようにＣＰＵ１１はテキストデータをＳ欄４３３にコピーする。
【０１２９】
ステップＳ５３２の終了後、または、キャンセルボタン４１２の選択を受け付けた場合（ステップＳ５３０でキャンセル）、ＣＰＵ１１は処理を終了する。
【０１３０】
なお、判定対象は高血圧に限定しない。ＣＰＵ１１は、たとえば低血圧、高血糖、貧血、肥満等、患者の検査データから判定可能な様々な健康リスクに応じたテンプレートを選択して、表示することができる。
【０１３１】
本実施の形態によると、たとえば高血圧の患者に対して確認するべき事柄を漏れなく確認して電子カルテに記録できる情報処理装置１０を提供することが可能である。
【０１３２】
［実施の形態８］
図２５は、実施の形態８の情報処理装置１０の機能ブロック図である。本実施の形態の情報処理装置１０は、ＣＰＵ１１がプログラムを実行することで、受付部９５と出力部９６と表示部９７として機能する。
【０１３３】
受付部９５は、患者を特定する情報を受け付ける。出力部９６は、受付部９５が受け付けた情報により特定される患者の属性に関連づけられた入力用テンプレートを出力する。表示部９７は、出力部９６が出力した入力用テンプレートへの情報の入力を受け付けた後に、患者に対応する電子カルテを入力可能な状態で表示する
【０１３４】
［実施の形態９］
本実施の形態は、汎用のコンピュータ９４とプログラム９２とを組み合わせて動作させることにより、本実施の形態の情報処理装置１０を実現する形態に関する。図２６は、実施の形態９の情報処理装置１０の構成を示す説明図である。図２６を使用して、本実施の形態の構成を説明する。なお、実施の形態１と共通する部分の説明は省略する。
【０１３５】
コンピュータ９４は、ＣＰＵ１１、主記憶装置１２、補助記憶装置１３、表示部１４、入力部１５、読取部１６およびバスを備える。コンピュータ９４は、汎用のパーソナルコンピュータ、または、タブレット等である。
【０１３６】
読取部１６は、可搬型記録媒体９１を読み取る装置であり、具体的にはたとえばＳＤ（Secure Digital）カードスロット、光学ディスクドライブまたはＵＳＢ（Universal Serial Bus）ポート等である。
【０１３７】
プログラム９２は、可搬型記録媒体９１に記録されている。ＣＰＵ１１は、読取部１６を介してプログラム９２を読み込み、補助記憶装置１３に保存する。またＣＰＵ１１は、コンピュータ９４内に実装されたフラッシュメモリ等の半導体メモリ９３に記憶されたプログラム９２を読出しても良い。さらに、ＣＰＵ１１は、図示しないネットワークを介して接続される図示しない他のサーバコンピュータからプログラム９２をダウンロードして補助記憶装置１３に保存しても良い。
【０１３８】
プログラム９２は、コンピュータ９４の制御プログラムとしてインストールされ、主記憶装置１２にロードして実行される。これにより、コンピュータ９４は上述した情報処理装置１０として機能する。
【０１３９】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【０１４０】
以上の実施の形態１から９を含む実施形態に関し、さらに以下の付記を開示する。
【０１４１】
（付記１）
患者を特定する情報を受け付け、
受け付けた前記情報により特定される前記患者の属性に関連づけられた入力用テンプレートを出力し、
前記入力用テンプレートへの情報の入力を受け付けた後に、前記患者に対応する電子カルテを入力可能な状態で表示する
処理をコンピュータに実行させるプログラム。
【０１４２】
（付記２）
前記表示する処理は、前記入力用テンプレートに対して入力を受け付けた情報を前記患者の電子カルテに反映させた状態で表示する
付記１に記載のプログラム。
【０１４３】
（付記３）
取得した前記電子カルテを前記入力用テンプレートと共に出力する
付記１または付記２に記載のプログラム。
【０１４４】
（付記４）
前記電子カルテに記録された前記患者のデータに基づいて前記属性を判定する
付記１から付記３のいずれか一つに記載のプログラム。
【０１４５】
（付記５）
前記入力用テンプレートは、項目名と、前記項目名に対応する入力欄とを含み、
少なくとも前記項目名と前記入力欄に入力された情報とのいずれかを前記電子カルテに反映する
付記１から付記４のいずれか一つに記載のプログラム。
【０１４６】
（付記６）
前記属性は、前記患者の住所であり、
前記入力用テンプレートを出力する処理は、前記患者の住所に対応する地方自治体により利用される入力用テンプレートを選択して出力することを特徴とする
付記１から付記５のいずれか一つに記載のプログラム。
【０１４７】
（付記７）
前記属性は、前記患者が通う施設のある地方自治体を含む
付記１から付記５のいずれか一つに記載のプログラム。
【０１４８】
（付記８）
前記属性は、前記患者の年齢を含む
付記１から付記５のいずれか一つに記載のプログラム。
【０１４９】
（付記９）
患者を特定する情報を受け付け、
受け付けた前記情報により特定される前記患者の属性に関連づけられた入力用テンプレートを出力し、
前記入力用テンプレートへの情報の入力を受け付けた後に、前記患者に対応する電子カルテを入力可能な状態で表示する
処理をコンピュータに実行させる情報処理方法。
【０１５０】
（付記１０）
患者を特定する情報を受け付ける受付部と、
前記受付部が受け付けた情報により特定される患者の属性に関連づけられた入力用テンプレートを出力する出力部と、
前記出力部が出力した前記入力用テンプレートへの情報の入力を受け付けた後に、前記患者に対応する電子カルテを入力可能な状態で表示する表示部と
を備える情報処理装置。
【符号の説明】
【０１５１】
１０  情報処理装置
１１  ＣＰＵ
１２  主記憶装置
１３  補助記憶装置
１４  表示部
１５  入力部
１６  読取部
２１  患者ＤＢ
２２  対応付けＤＢ
２３  テンプレートＤＢ
２４  カルテＤＢ
３１  説明欄
３２  選択ボタン
４１  テンプレート窓
４１１  ＯＫボタン
４１２  キャンセルボタン
４１３  項目欄
４１４  入力欄
４１５  表題欄
４２  履歴欄
４３  診療記録欄
４３１  自由欄
４３２  主訴欄
４３３  Ｓ欄
４３４  Ｏ欄
４３５  Ａ欄
４３６  Ｐ欄
４４  患者情報欄
９１  可搬型記録媒体
９２  プログラム
９３  半導体メモリ
９４  コンピュータ
９５  受付部
９６  出力部
９７  表示部
【図１】
2018165961.tif 000003
【図２】
2018165961.tif 000004
【図３】
2018165961.tif 000005
【図４】
2018165961.tif 000006
【図５】
2018165961.tif 000007
【図６】
2018165961.tif 000008
【図７】
2018165961.tif 000009
【図８】
2018165961.tif 000010
【図９】
2018165961.tif 000011
【図１０】
2018165961.tif 000012
【図１１】
2018165961.tif 000013
【図１２】
2018165961.tif 000014
【図１３】
2018165961.tif 000015
【図１４】
2018165961.tif 000016
【図１５】
2018165961.tif 000017
【図１６】
2018165961.tif 000018
【図１７】
2018165961.tif 000019
【図１８】
2018165961.tif 000020
【図１９】
2018165961.tif 000021
【図２０】
2018165961.tif 000022
【図２１】
2018165961.tif 000023
【図２２】
2018165961.tif 000024
【図２３】
2018165961.tif 000025
【図２４】
2018165961.tif 000026
【図２５】
2018165961.tif 000027
【図２６】
2018165961.tif 000028